(57)【要約】【課題】省エネにして、加湿の必要性に応じての加湿ができる加湿機能と空気清浄機能の両方の機能を保有する加湿空気清浄機を提供することを目的とする。【解決手段】風量割合調節手段７としての中空の円筒１３に対向する側面に側面開口１６を設け、円筒１３を清浄フィルタ４の間に設け、円筒１３を清浄風路１１の全開状態から全閉状態まで、円筒回転手段で０〜９０度回転させることにより、加湿手段５を通らずに加湿されず清浄風路１１を通って吹出し口２から吹出す清浄空気の風量と加湿手段５により加湿され吹出し口２から吹出す加湿清浄空気の風量の割合を調節できる。加湿の必要性に応じて、加湿量の増減ができ、簡単な構成で、省エネにして、加湿の必要性に応じての加湿ができる加湿空気清浄機が得られる。【選択図】図１
2014209046.tif 000002
【特許請求の範囲】
【請求項１】
吹出し口と第１の吸込み口と第２の吸込み口を有する本体ケースと、前記第１の吸込み口と第２の吸込み口とに設けられた清浄フィルタと、前記本体ケース内に設けた加湿手段と、この加湿手段と前記吹出し口との間に設けた送風手段とからなり、この送風手段によって、前記第１の吸込み口から吸い込まれた空気が、前記清浄フィルタを介して吹出し口へ送風される清浄風路と、前記送風手段によって、前記第２の吸込み口から吸い込まれた空気が、前記清浄フィルタ、前記加湿手段を介して吹出し口へ送風される加湿清浄風路とを有し、前記清浄風路における前記清浄フィルタと前記送風手段との間であると共に、前記加湿清浄風路における前記加湿手段と前記送風手段との間に風量割合調節手段を設け、この風量割合調節手段は、前記清浄風路の風量と前記加湿清浄風路の風量との割合を調節することを特徴とする加湿空気清浄機。
【請求項２】
前記本体ケースの少なくとも一方側の側面下部に前記第２の吸込み口を設け、前記第２の吸込み口の上方に前記第１の吸込み口を備え、前記第１の吸込み口より上方に前記送風手段を有し、前記風量割合調節手段は、前記本体ケース内に回動自在に設けられた円筒と、この円筒の側周面と接する遮蔽部と、前記円筒を回転する円筒回転手段とからなり、前記円筒は、上下方向が軸方向で側周面に少なくとも１つの側面開口を設け、前記清浄風路は、前記円筒の前記側面開口から上面の上面開口へと連通し、前記加湿清浄風路は、前記円筒の下面の下面開口から上面の上面開口へと連通し、前記円筒回転手段によって、前記円筒を回転させると前記遮蔽部によって前記側面開口の開口面積が変化することを特徴とする請求項１記載の加湿空気清浄機。
【請求項３】
前記清浄風路における前記第１の吸込み口から前記送風手段までの距離は、前記加湿清浄風路における前記第２の吸込み口から前記送風手段までの距離より短いことを特徴とする請求項２記載の加湿空気清浄機。
【請求項４】
前記側面開口の開口面積は、前記円筒の下面開口の開口面積より大きいことを特徴とする請求項３記載の加湿空気清浄機。
【請求項５】
前記円筒は、樹脂で成型され、前記円筒回転手段は、前記本体ケースに設けられたモータ部と、このモータ部のモータ軸に固定された歯車と、この歯車によって回転する円環形状の第１の円環部とからなり、この第１の円環部は、樹脂で成型されると共に、前記風量割合調節手段の前記円筒の上端に固定され、前記第１の円環部の外周から外方へ突出した歯部分を備えたことを特徴とする請求項２記載の加湿空気清浄機。
【請求項６】
前記第１の円環部は、外周から外方へ突出した円環状の突起部を備え、この突起部の下面が、前記本体ケースから伸びた第１の回転支持部により回転自在に支持されていることを特徴とする請求項５記載の加湿空気清浄機。
【請求項７】
前記円筒の下端には、樹脂で成型された円環形状の第２の円環部が固定され、この第２の円環部の下面の一部は、前記円筒が回転する場合に、前記本体ケースから伸びた第２の回転支持部と接触することを特徴とする請求項６記載の加湿空気清浄機。
【発明の詳細な説明】
【技術分野】
【０００１】
本発明は、空気を加湿する加湿機能と、空気を浄化する空気清浄機能の両方の機能を保有する加湿空気清浄機に関するものである。
【背景技術】
【０００２】
従来、この種の加湿空気清浄機は、吸込み口から清浄フィルタを経由して送風機により第１の吹出し口を通って吹出し口から清浄空気を吹出す清浄風路と、吸込み口から清浄フィルタを経由して加湿手段により加湿され、送風機の第２の多翼部により第２の吹出し口を通って吹出し口から加湿清浄空気を吹出す加湿風路を備えている。
【０００３】
加湿運転が行われて湿度が適正になると、水槽に収納した加湿手段としての円筒状の加湿フィルタの回転を停止する。加湿フィルタの回転の停止により、加湿フィルタに給水されなくなり、加湿運転が停止する。
【先行技術文献】
【特許文献】
【０００４】
【特許文献１】特開２００９−２５０５９６号公報
【発明の概要】
【発明が解決しようとする課題】
【０００５】
このような従来の加湿空気清浄機においては、清浄風路と加湿清浄風路を備え、常時、一定の割合で清浄風路と加湿清浄風路に空気が送風され、加湿不要時に、加湿フィルタへの給水を停止するという構成となっていた。
【０００６】
加湿が必要時、常に、清浄風路と加湿清浄風路に流れる空気の割合は固定され、一定の割合で一部の空気は加湿風路を通らず加湿されることなく清浄風路を通って吹出し口から吹出されている。
【０００７】
したがって、加湿の必要時に、加湿量を増やそうとして、加湿清浄風量を増やすと、これに伴ない、加湿されない清浄風量も増えるものであり、加湿清浄風量だけを増加させることができないという課題を有していた。
【０００８】
そこで本発明は、加湿清浄風量だけを増加させることができる加湿空気清浄機を提供することを目的とする。
【課題を解決するための手段】
【０００９】
そして、この目的を達成するために、本発明は、吹出し口と第１の吸込み口と第２の吸込み口を有する本体ケースと、前記第１の吸込み口と第２の吸込み口とに設けられた清浄フィルタと、前記本体ケース内に設けた加湿手段と、この加湿手段と前記吹出し口との間に設けた送風手段とからなり、この送風手段によって、前記第１の吸込み口から吸い込まれた空気が、前記清浄フィルタを介して吹出し口へ送風される清浄風路と、前記送風手段によって、前記第２の吸込み口から吸い込まれた空気が、前記清浄フィルタ、前記加湿手段を介して吹出し口へ送風される加湿清浄風路とを有し、前記清浄風路における前記清浄フィルタと前記送風手段との間であると共に、前記加湿清浄風路における前記加湿手段と前記送風手段との間に風量割合調節手段を設け、この風量割合調節手段は、前記清浄風路の風量と前記加湿清浄風路の風量との割合を調節することを特徴としたものである。
【００１０】
これにより、所期の目的を達成するものである。
【発明の効果】
【００１１】
以上のように本発明は、吹出し口と第１の吸込み口と第２の吸込み口を有する本体ケースと、前記第１の吸込み口と第２の吸込み口とに設けられた清浄フィルタと、前記本体ケース内に設けた加湿手段と、この加湿手段と前記吹出し口との間に設けた送風手段とからなり、この送風手段によって、前記第１の吸込み口から吸い込まれた空気が、前記清浄フィルタを介して吹出し口へ送風される清浄風路と、前記送風手段によって、前記第２の吸込み口から吸い込まれた空気が、前記清浄フィルタ、前記加湿手段を介して吹出し口へ送風される加湿清浄風路とを有し、前記清浄風路における前記清浄フィルタと前記送風手段との間であると共に、前記加湿清浄風路における前記加湿手段と前記送風手段との間に風量割合調節手段を設け、この風量割合調節手段は、前記清浄風路の風量と前記加湿清浄風路の風量との割合を調節することを特徴としたものである。
【００１２】
すなわち、風量割合調節手段は、清浄風路の風量と加湿清浄風路の風量との割合を調節できるので、清浄風路の風量を減少させ、加湿清浄風量を増加させることができるという効果を得ることができる。
【図面の簡単な説明】
【００１３】
【図１】本発明の実施の形態１の加湿空気清浄機の外形を示す斜視図
【図２】同加湿空気清浄機の正面から見た清浄風路全閉時の断面図
【図３】同加湿空気清浄機の風量割合調節手段の斜視図
【図４】同加湿空気清浄機の側面から見た清浄風路全開時の垂直断面図
【図５】同加湿空気清浄機の上から見た清浄風路全開時の水平断面図
【図６】同加湿空気清浄機の側面から見た清浄風路全閉時の垂直断面図
【図７】同加湿空気清浄機の上から見た清浄風路全閉時の水平断面図
【図８】同加湿空気清浄機の風量割合調節手段の垂直断面図
【図９】同加湿空気清浄機の円筒回転手段の斜視図
【図１０】同加湿空気清浄機の風量割合調節手段の上部の垂直断面図
【図１１】同加湿空気清浄機の風量割合調節手段の下部の垂直断面図
【発明を実施するための形態】
【００１４】
以下、本発明の実施の形態について図面を参照しながら説明する。
【００１５】
（実施の形態１）
図１から図３に示すように、本実施形態の加湿空気清浄機は、吹出し口２と吸込み口３を有する本体ケース１と、この本体ケース１内に、清浄フィルタ４と、加湿手段５と、送風手段６と、風量割合調節手段７とを備えている。
【００１６】
本体ケース１は、縦長箱形状で、天面には、吹出し口２を設け、左右両側面の下部には、吸込み口３を備えている。吸込み口３は、縦長四角形状で、上下に仕切り板１０によって仕切られ、第１の吸込み口８と第２の吸込み口９とに分かれている。第１の吸込み口８は、第２の吸込み口９の上方に設けられている。第１の吸込み口８の開口面積は、第２の吸込み口９の開口面積より大きい。なお、本体ケース１の少なくとも一方側の側面下部に第２の吸込み口９を設け、第２の吸込み口９の上方に第１の吸込み口８を備えていれば良い。
【００１７】
清浄フィルタ４は、吸込み口３、つまり第１の吸込み口８と第２の吸込み口９とに設けられている。具体的には、吸込み口３の外方に１枚ずつ設けられている。清浄フィルタ４は、空気中の粉塵が除去できれば良く、例えば、高性能フィルタ、中性能フィルタ、あるいは静電フィルタなどがある。
【００１８】
加湿手段５は、第２の吸込み口９の間に設けられている。加湿手段５は、椀形状の貯水容器２０と、この貯水容器２０の水に下端の開口が浸漬した筒形状の加湿フィルター２１とからなる。加湿フィルター２１は、吸い上げ式で、貯水容器２０の水を吸い上げられるものであれば良い。
【００１９】
送風手段６は、第１の吸込み口８より上方で、加湿手段５と吹出し口２との間に設けている。送風手段６としては、ターボファン、軸流送風機等などがある。
【００２０】
送風手段６によって送風される風路は、清浄風路１１と加湿清浄風路１２とがある。
【００２１】
清浄風路１１は、送風手段６によって、第１の吸込み口８から吸い込まれた空気が、清浄フィルタ４を介して吹出し口２へ送風される風路である。加湿清浄風路１２は、送風手段６によって、第２の吸込み口９から吸い込まれた空気が、清浄フィルタ４、加湿手段５を介して吹出し口へ送風される風路である。すなわち、送風手段６によって、清浄風路１１と加湿清浄風路１２との両方の風路から送風される。
【００２２】
風量割合調節手段７は、清浄風路１１における清浄フィルタ４と送風手段６との間であると共に、加湿清浄風路１２における加湿手段５と送風手段６との間に設けている。この風量割合調節手段７は、清浄風路１１の風量と加湿清浄風路１２の風量との割合を調節できる。
【００２３】
これにより、風量割合調節手段７は、清浄風路１１の風量と加湿清浄風路１２の風量との割合を調節できるので、加湿清浄風量だけを増加させることができる。結果として、加湿効率が向上する。
【００２４】
具体的には、風量割合調節手段７は、本体ケース１内に回動自在に設けられた円筒１３と、この円筒１３の側周面と接する遮蔽部１４と、円筒を回動する円筒回転手段とからなる。
【００２５】
円筒１３は、上下方向が軸方向で側周面に少なくとも１つの側面開口１６を備えている。
【００２６】
清浄風路１１は、円筒１３の側面開口１６から上面の上面開口１７へと連通している。加湿清浄風路１２は、円筒１３の下面の下面開口１８から上面開口１７へと連通している。ここで、円筒回転手段によって、円筒１３を回動させると遮蔽部１４によって側面開口１６の開口面積が変化するものである。
【００２７】
遮蔽部１４は、本体ケース１内における、本体ケース１前面側と背面側とが、内方に突出し、先端が、円筒１３の外周の側周面に沿う形状である。
【００２８】
円筒回転手段は、円筒１３の上端側面に設けられた円環状のギア２２と、本体ケース１内に設けたステッピングモータ２３と、このステッピングモータ２３によって回動する歯車（図示せず）とからなる。ステッピングモータ２３によって、歯車が回動し、この歯車と噛み合っているギア２２が回動することにより、円筒１３が回動するものである。
【００２９】
以上の構成で、図４から図７に示すように、円筒１３が回動し、側面開口１６と遮蔽部１４とが重なると、重なった部分だけ、側面開口１６が小さくなる。これにより、風量割合調節手段７は、円筒１３を回動させ、遮蔽部１４によって側面開口１６を全開から全閉まで変化させることが出来る。すなわち、側面開口１６を全開から全閉することができるので、清浄風路１１を遮蔽し、加湿清浄風路１２のみとなり、加湿清浄風量だけを増加させることができる。
【００３０】
また、清浄風路１１における第１の吸込み口８から送風手段６までの距離は、加湿清浄風路における第２の吸込み口９から送風手段６までの距離より短いものである。
【００３１】
すなわち、清浄風路１１には、送風抵抗となる加湿手段５が無いので、清浄風路１１における送風抵抗は、加湿清浄風路１２における送風抵抗より小さいものであるが、それに加えて、清浄風路１１における第１の吸込み口８から送風手段６までの距離は、加湿清浄風路における第２の吸込み口９から送風手段６までの距離より短いので、清浄風路１１における第１の吸込み口８から送風手段６までの送風抵抗は、加湿清浄風路１２における第２の吸込み口９から送風手段６までの送風抵抗より小さくなる。
【００３２】
これにより、側面開口１６を全開時には、清浄風路１１の風量は、加湿清浄風路１２の風量より大きくなる。結果として、加湿清浄風路１２を遮断せずに、加湿清浄風路１２の風量をより低減できる。
【００３３】
また、側面開口１６の開口面積は、円筒１３の下面開口１８の開口面積より大きいものである。
【００３４】
すなわち、清浄風路１１における第１の吸込み口８から送風手段６までの送風抵抗は、加湿清浄風路１２における第２の吸込み口９から送風手段６までの送風抵抗より更に小さくなる。これにより、側面開口１６を全開時には、清浄風路１１の風量は、加湿清浄風路１２の風量より更に大きくなる。結果として、加湿清浄風路１２を遮断せずに、加湿清浄風路１２の風量をより更に低減できる。
【００３５】
加湿不要時には、風量割合調節手段７としての中空の円筒１３を円筒回転手段で回転させる。円筒１３が回動し、円筒１３の側面開口１６が清浄フィルタ４に対向すると、円筒１３内と両側の清浄フィルタ４が連通する。
【００３６】
すなわち、加湿手段５を介さずに清浄フィルタ４と送風手段６とが連通し、清浄風路１１となる。
【００３７】
本体ケース１の両側の第１の吸込み口８から吸込まれた空気は清浄フィルタ４で浄化され円筒１３内に入り、ターボファンにより昇圧され、本体ケース１上方の吹出し口２から加湿されずに浄化された空気が吹出される。
【００３８】
この時、第２の吸込み口９から吸込まれた空気は、加湿手段５に面している円筒１３より下方の清浄フィルタ４を通り、加湿手段５としての加湿フィルター２１を経由して、円筒１３内に入る。
【００３９】
しかし、加湿手段５である加湿フィルター２１の空気抵抗、圧力損失が大きいため、第２の吸込み口９から吸込まれ清浄フィルタ４により浄化され、空気抵抗の大きい加湿フィルター２１を経を通って、送風手段６により昇圧され、吹出し口２から吹出される。この空気抵抗の大きい加湿フィルター２１を経由する空気は極僅かとなる。
【００４０】
大部分は、清浄風路１１を通ることになり、清浄フィルタ４から、直接、円筒１３の側面開口１６を経由して、円筒１３内に入り、送風手段６により昇圧される。
【００４１】
すなわち、加湿不要時には、清浄フィルタ４で浄化された大部分の清浄空気を、圧力損失の大きい加湿フィルター２１を経由せずに吹出せることで、省エネルギーにして、清浄空気を多く吹出せ、室内空気の浄化を素早く行うことができる。
【００４２】
一方、急速加湿必要時には、風量割合調節手段７としての中空の円筒１３を清浄風路１１の全開状態から円筒回転手段で９０度回転させる。９０度回転により、円筒１３の非開口面と清浄フィルタ４とが対向すると共に、側面開口１６が遮蔽部１４によって閉じられると、円筒１３内と第１の吸込み口８とは非連通となり、非通気化し、清浄風路１１は全閉される。
【００４３】
送風手段６によりにより、第２の吸込み口９から吸込まれた空気は清浄フィルタ４を通って浄化され、その浄化された清浄空気は加湿手段５としての加湿フィルター２１に供給され、加湿フィルター２１により加湿され、ターボファン等の送風手段６により昇圧されて、吹出し口２から加湿され浄化された加湿清浄空気が吹出される。
【００４４】
これにより、加湿必要時には、清浄風路１１を全閉、略全閉にでき、加湿空気清浄機の全風量、略全風量を加湿でき、簡単な構成で、加湿空気清浄機の風量を増やすことなく、省エネにして、加湿量を増やしての急速加湿ができる加湿空気清浄機を提供することができることになる。
【００４５】
加湿必要時には、風量割合調節手段７としての中空の円筒１３を清浄風路１１の全開状態から全閉状態まで、円筒回転手段で０〜９０度回転させることで、清浄風路１１を全開状態から全閉状態まで、開度の調節ができる。
【００４６】
清浄風路１１の開度の調節により、加湿手段５を通らずに加湿されず清浄風路１１を通って吹出し口２から吹出す清浄空気の風量と加湿手段５により加湿され吹出し口２から吹出す加湿清浄空気の風量の割合を調節できる。
【００４７】
加湿の必要性に応じて、加湿手段５に供給する風量の割合の増減ができ、すなわち、加湿量の増減ができ、加湿空気清浄機の全風量を増やすことなく、省エネにして、加湿の必要性に応じての加湿ができることになる。
【００４８】
本実施例によれば、加湿の必要性に応じて、簡単なスリムな構成で、省エネにして、加湿量の増減の調節ができる。また、加湿しない清浄空気の風量の増減の調節ができる。また、清浄風路１１を全開にすることで、圧力損失の低下により加湿しない清浄空気の風量を多くできる。
【００４９】
また、円筒１３は、樹脂で成型されている。図８、９に示すように、円筒回転手段は、本体ケース１に設けられたステッピングモータ２３であるモータ部と、このモータ部のモータ軸に固定された歯車２４と、この歯車２４によって回転する円環形状の第１の円環部２５とからなる。この第１の円環部２５は、樹脂で成型されると共に、風量割合調節手段の円筒１３の上端に固定されている。第１の円環部２５は、軸方向が上下方向である円筒形状で、下方の開口の直径より、上方の開口の直径の方が大きい漏斗形状である。第１の円環部２５の外周面から外方へ突出したギア２２である歯部分を備えている。この歯部分と、モータ軸に固定された歯車２４とが噛み合うものである。
【００５０】
円筒１３は、図１０に示すように、円筒１３の上端から上方へ伸びた、軸方向が上下方向である筒形状の上端固定部３２を備えている。第１の円環部２５は、第１の円環部２５の下端から下方へ伸びた、軸方向が上下方向である円筒形状の第１の円環外面側固定部３３を備えている。この第１の円環外面側固定部３３より内方に、第１の円環部２５の下端から下方へ伸びた、複数の爪である第１の内面側固定部３４を備えている。円筒１３の上端固定部３２は、第１の円環外面側固定部３３の内面と、第１の内面側固定部３４の外面との間に嵌り、円筒１３に第１の円環部２５を嵌合固定できるものである。
【００５１】
円筒１３は、軸方向が上下方向である円筒形状で側周面に側面開口１６を有する。この側面開口１６には、複数の桟２６を格子状に有し、補強している。このような形状であるので、樹脂の成型で作ると、側周面での樹脂の固まる速度が一定になりにくく、結果として、真円になりにくいものである。一方、第１の円環部２５は、ギア２２である歯部分を備えているものの環形状であるので、円筒１３に比べると、真円になり易いものである。そこで、円筒１３の上端に、円筒１３より真円度の高い第１の円環部を固定することにより、円筒１３の真円度を向上させることができる。また、第１の円環部は、ギア２２である歯部分を備えているので、樹脂の材質としては、一例としては、ポリアセタールが好ましい。円筒１３は、歯部分を備えていないので、高価なポリアセタールである必要はなく、一例としては、ポリスチレンが好ましい。
【００５２】
すなわち、円筒１３と第１の円環部２５とを一体で樹脂成型するよりも、第１の円環部２５を円筒１３の樹脂より硬く変形しにくい樹脂で、円筒１３と第１の円環部とを別々に樹脂成型し、後で円筒１３の上端に、別部品である第１の円環部を固定することで、寸法精度が向上し、更に、材料費用を抑制できるものである。
【００５３】
また、第１の円環部２５は、外周から外方へ突出した円環状の突起部２７を備えている。この突起部２７の下面が、本体ケース１から伸びた第１の回転支持部２８により回転自在に支持されている。
【００５４】
円環状の突起部２７によって、第１の円環部２５の強度が向上し、結果として、円筒１３の真円度を更に向上できる。
【００５５】
また、円筒１３の下端には、樹脂で成型された円環形状の第２の円環部２９が固定されている。この第２の円環部２９の下面の一部は、円筒が回転する場合に、本体ケースから伸びた第２の回転支持部３０と接触する。
【００５６】
円筒１３は、図１１に示すように、円筒１３の下端から下方へ伸びた、軸方向が上下方向である筒形状の下端固定部３１を備えている。第２の円環部２９は、軸方向が上下方向である環形状で、下端固定部３１の内面、外面、下面を覆う、垂直断面形状が、上方が開口したＵ字形状である。このＵ字形状内に、下端固定部３１が入り込み、円筒１３に第２の円環部２９を嵌合固定できるものである。
【００５７】
第２の円環部２９は、第２の回転支持部３０と回転しながら接触するので、樹脂の材質としては、一例としては、ポリアセタールが好ましい。第２の円環部２９は、円環形状であるので、円筒１３に比べると、真円になり易いものである。そこで、円筒１３の下端に、円筒１３より真円度の高い第２の円環部２９を固定することにより、円筒１３の真円度を向上させることができる。
【００５８】
すなわち、円筒１３と第２の円環部とを一体で樹脂成型するよりも、第２の円環部２９を円筒１３の樹脂より硬く変形しにくい樹脂で、円筒１３と第１の円環部２５とを別々に樹脂成型し、後で円筒１３の下端に、別部品である第２の円環部２９を固定することで、寸法精度が向上し、更に、材料費用を抑制できるものである。
【産業上の利用可能性】
【００５９】
本発明にかかる加湿空気清浄機は、必要性に応じて、簡単なスリムな構成で、省エネにして、加湿量の調節ができ、また、加湿しない清浄空気の風量の調節ができるものであるので、加湿、空気清浄、温度調節等の複合機能を持つ空調機に使用される加湿空気清浄機等の空調機等として有用である。
【符号の説明】
【００６０】
１      本体ケース
２      吹出し口
３      吸込み口
４      清浄フィルタ
５      加湿手段
６      送風手段
７      風量割合調節手段
８      第１の吸込み口
９      第２の吸込み口
１０      仕切り板
１１      清浄風路
１２      加湿清浄風路
１３      円筒
１４      遮蔽部
１６      側面開口
１７      上面開口
１８      下面開口
２０      貯水容器
２１      加湿フィルター
２２      ギア
２３      ステッピングモータ
２４      歯車
２５      第１の円環部
２６      桟
２７      突起部
２８      第１の回転支持部
２９      第２の円環部
３０      第２の回転支持部
３１      下端固定部
３２      上端固定部
３３      第１の円環外面側固定部
３４      第１の内面側固定部
【図１】
2014209046.tif 000003
【図２】
2014209046.tif 000004
【図３】
2014209046.tif 000005
【図４】
2014209046.tif 000006
【図５】
2014209046.tif 000007
【図６】
2014209046.tif 000008
【図７】
2014209046.tif 000009
【図８】
2014209046.tif 000010
【図９】
2014209046.tif 000011
【図１０】
2014209046.tif 000012
【図１１】
2014209046.tif 000013